(57)【特許請求の範囲】
【請求項１】
光源と、
前記光源からの光を分岐し、記録媒体上に第１の光スポットと第２の光スポットとを形成する光学系と、
前記光源を駆動および前記光源の光量を変調し、
さらに、記録する情報に基づいて前記光源の光量を変調し前記第１の光スポットにより前記記録媒体へ情報の記録を行う記録回路と、
前記記録回路が前記光源の光量を一定で発光させる期間において、前記記録媒体に記録されている情報を前記第２の光スポットにより再生して評価を行う評価回路と、
を備え、
前記評価回路は、
前記期間を第１の期間とし、
前記第１の期間以外の期間を第２の期間とし、
前記第１の期間において前記記録媒体に記録された情報を前記第２の光スポットにより再生する波形を第１の再生波形とし、
前記第２の期間において前記第２の光スポットにより再生する情報に対応する、前記記録媒体上に記録する元の情報に基づいて生成する波形を第２の再生波形としたとき、
前記第１の再生波形と前記第２の再生波形との演算結果に対して評価を行う、
記録再生装置。
【請求項２】
周波数特性を補正する波形補正回路をさらに備え、
前記第２の再生波形は、前記波形補正回路により補正する、
請求項１記載の記録再生装置。
【請求項３】
前記波形補正回路は、周波数特性を補正する周波数特性補正回路と、信号を遅延する遅延回路と、ゲインで信号の振幅を調整するゲイン回路とを含み、前記記録媒体上に記録する元の情報に含まれる所定の信号を用いて、前記遅延回路における遅延量および前記ゲイン回路におけるゲインのうち、少なくとも一方を決定する、
請求項２記載の記録再生装置。
【請求項４】
前記評価回路は、前記記録媒体上に記録する元の情報に含まれる、第１のデータ長を有するマークおよびスペースの平均レベルと、前記第１のデータ長とは異なる第２のデータ長を有するマークおよびスペースの平均レベルとに基づいて、前記第１の再生波形と前記第２の再生波形とを演算する際のオフセット量を決定する、
請求項１記載の記録再生装置。
【請求項５】
前記第１のデータ長は前記第２のデータ長よりも長く、
前記記録回路は、前記第１のデータ長を有するマークおよびスペースを前記第２のデータ長を有するマークおよびスペースよりも先に記録する、
請求項４記載の記録再生装置。
【請求項６】
前記光源を一定光量で発光させている期間のうち所定の時間だけ短い期間を前記第１の期間とする、
請求項１記載の記録再生装置。
【請求項７】
光源と、
前記光源からの光を分岐し、記録媒体上に第１の光スポットと第２の光スポットとを形成する光学系と、
前記光源を駆動および前記光源の光量を変調し、
さらに、記録する情報に基づいて前記光源の光量を変調し前記第１の光スポットにより前記記録媒体へ情報の記録を行う記録回路と、
前記記録回路が前記光源の光量を一定で発光させる期間において、前記記録媒体に記録されている情報を前記第２の光スポットにより再生して評価を行う評価回路と、
を備え、  前記記録媒体上に記録する情報は、所定の長さの第１のギャップ領域を含み、
前記第１のギャップ領域に対する期間は、前記記録回路が前記光源の光量を一定で発光させる期間である、記録再生装置。
【請求項８】
前記記録媒体上に記録する情報は、前記第１のギャップ領域と略等しいデータ長を有する第２のギャップ領域をさらに含み、
前記記録回路が、前記光源の光量を第１の光量で一定で発光させる期間を、第１のギャップ領域に対する期間とし、前記光源の光量を前記第１の光量と異なる第２の光量で一定で発光させる期間を、前記第２のギャップ領域に対する期間とする、
請求項７記載の記録再生装置。
【請求項９】
前記第１のギャップ領域のデータ長は、前記記録媒体上における前記第１の光スポットと前記第２の光スポットとの間隔に対応するデータ長以下である、
請求項７記載の記録再生装置。
【請求項１０】
前記記録媒体上に記録する情報の所定の範囲内に、複数の前記第１のギャップ領域を含み、前記第１のギャップ領域と他の前記第１のギャップ領域との間隔が、前記記録媒体上における前記第１の光スポットと前記第２の光スポットとの間隔に対応するデータ長以上である、
請求項７記載の記録再生装置。
【請求項１１】
前記評価回路は、前記第２の光スポットにより再生する信号の、第１のデータ長を有するマークおよびスペースの平均レベルと、前記第１のデータ長とは異なる第２のデータ長を有するマークおよびスペースの平均レベルとに基づいて評価を行う、
請求項１または請求項７に記載の記録再生装置。
【請求項１２】
前記記録回路は、前記評価回路の評価の結果に基づき、前記光源の光量を制御する、
請求項１１に記載の記録再生装置。
【発明の詳細な説明】
【技術分野】
【０００１】
本開示は、記録媒体に対して情報の記録再生を行う記録再生装置に関する。
【背景技術】
【０００２】
特許文献１は、２つの光スポットを有する記録再生装置を開示する。この記録再生装置は、先行する光スポットで記録した情報を、他方の光スポットで検出することにより、高品質な情報の記録が実現可能となる。
【先行技術文献】
【特許文献】
【０００３】
【特許文献１】特開平９−９１７０４号公報
【発明の概要】
【発明が解決しようとする課題】
【０００４】
本開示は、記録媒体に情報を記録する際、記録直後に情報の再生評価を行う記録再生装置を提供する。
【課題を解決するための手段】
【０００５】
本開示における記録再生装置は、光源と、光源からの光を分岐し、記録媒体上に第１の光スポットと第２の光スポットとを形成する光学系と、光源を駆動および光源の光量を変調し、さらに、記録する情報に基づいて光源の光量を変調し第１の光スポットにより記録媒体へ情報の記録を行う記録回路と、記録回路が光源の光量を一定で発光させる期間において、記録媒体に記録されている情報を第２の光スポットにより再生して評価を行う評価回路と、を備える。
【発明の効果】
【０００６】
本開示における記録再生装置は、記録媒体に情報を記録する際、記録直後に情報の再生評価を行うことができる。
【図面の簡単な説明】
【０００７】
【図１】図１は、実施の形態１における記録再生装置のブロック図である。
【図２】図２は、実施の形態１における光ピックアップの構成を示す図である。
【図３】図３は、記録媒体に記録を行う際の、光源の記録変調波形を説明する図である。
【図４】図４は、実施の形態１における再生信号による評価を説明する図である。
【図５】図５は、実施の形態２における再生信号による評価を説明する図である。
【図６】図６は、実施の形態２における記録再生装置の構成を示す図である。
【図７】図７は、実施の形態２におけるＢＤ（Ｂｌｕ−ｒａｙ（登録商標））ディスクの記録フレームの構造を示す図である。
【図８】図８は、実施の形態２における再生波形の模式図である。
【図９】図９は、実施の形態２におけるＢＤディスクの記録フレームの他の構造を示す図である。
【図１０】図１０は、実施の形態２におけるゲート信号を説明する図である。
【図１１】図１１は、実施の形態３における再生評価の概要を説明する図である。
【図１２】図１２は、実施の形態３における再生評価の概要を説明する別の図である。
【図１３】図１３は、実施の形態３における再生評価の概要を説明するさらに別の図である。
【図１４】図１４は、実施の形態３における再生評価の概要を説明するさらに別の図である。
【図１５Ａ】図１５Ａは、実施の形態３における記録ブロックを説明する図である。
【図１５Ｂ】図１５Ｂは、実施の形態３における記録ブロックを説明する別の図である。
【図１５Ｃ】図１５Ｃは、実施の形態３における記録ブロックを説明するさらに別の図である。
【図１６】図１６は、他の実施の形態におけるＢＤディスクのＡｓｙｍｍｅｔｒｙを説明する図である。
【発明を実施するための形態】
【０００８】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【０００９】
なお、添付図面および以下の説明は、当業者が開示を十分に理解するために、提供されるのであって、これらによって特許請求の範囲に記載の主題を限定することは意図されていない。
【００１０】
（実施の形態１）
以下、図１〜４を用いて、実施の形態１を説明する。
【００１１】
［１−１．目的］
記録媒体の一例である光ディスクへの記録再生品質を向上させる手段として、ＤＲＡＷ（Ｄｉｒｅｃｔ  Ｒｅａｄ  Ａｆｔｅｒ  Ｗｒｉｔｅ）という手法がある。これは光ディスク上に記録用と再生用の２つの光スポットを照射し、記録用の光スポットで記録した直後に、再生用の光スポットでその情報の再生を行い、記録状態の確認を行うことで記録再生品質の向上を図るものである。
【００１２】
光ディスク上に２つの光スポットを照射する方法として、再生用の光源と記録用の光源の２つの光源を用いる方法があるが、光源を２つ用いることによるコストアップや、２つの光源からの各々の光スポットを同一トラック上に集光するための精度確保等に課題がある。
【００１３】
また、光ディスク上に２つの光スポットを照射する別の方法として、単一の光源の光を分岐して２つの光スポットを照射する方法がある。この方法を用いる場合、その構成は比較的簡単になるが、記録用の光スポットで情報を記録するために光源を変調するので、再生用の光スポットにもその変調波形が重畳されてしまい、情報の再生に大きな影響を与えてしまう。
【００１４】
そこで本開示は、単一の光源を用いるＤＲＡＷにおいて、良好な再生信号品質を確保し、高品質な記録再生装置を提供する。
【００１５】
［１−２．構成］
図１は、実施の形態１における記録再生装置１００のブロック図である。図１において、記録再生装置１００は、記録媒体１０１上に第１の光スポット１０２と第２の光スポット１０３とを形成する光ピックアップ１０４と、ドライブ回路１０５とを備える。ドライブ回路１０５は、記録回路１０６、サーボ回路１０７、評価回路１１０を含む信号検出回路１０８とコントローラー１０９により構成される。
【００１６】
図２は、実施の形態１における光ピックアップ１０４の構成を示す図である。図２において、光ピックアップ１０４は、単一の光源２０１より第１の光スポット１０２および第２の光スポット１０３を形成する。光ピックアップ１０４は、光源２０１、コリメートレンズ２０２、ビームスプリッタ２０３、光分岐素子２０４、および対物レンズ２０５を備える。また、光ピックアップ１０４は、検出レンズ２０６、光検出器２０７および光量検出器２１０を備える。
【００１７】
光源２０１からの光は、コリメートレンズ２０２で平行光になった後、ビームスプリッタ２０３、光分岐素子２０４、対物レンズ２０５を透過して記録媒体１０１上に第１の光スポット１０２を形成する。同時に、光分岐素子２０４で分岐された一方の光が、第２の光スポット１０３を形成する。
【００１８】
記録媒体１０１で反射された第１の光スポット１０２の光は、対物レンズ２０５、光分岐素子２０４を透過した後、ビームスプリッタ２０３で反射され、検出レンズ２０６を透過後、光検出器２０７上の第１の受光部２０８に入射する。同様に、記録媒体１０１で反射された第２の光スポット１０３の光は、光検出器２０７上の第２の受光部２０９に入射する。ここで、光分岐素子２０４は、例えば、回折格子である。光分岐素子２０４により、所定の光量比に光を分岐することが可能となる。
【００１９】
また、光源２０１からの光の一部は、ビームスプリッタ２０３で反射されて、光源２０１の光量を検出する光量検出器２１０に入射する。
【００２０】
検出レンズ２０６は、例えば、シリンドリカルレンズである。また、第１の受光部２０８は、４分割された受光領域を備える。受光領域はそれぞれ、記録媒体１０１から反射する光の受光量に応じた検出信号を生成する。光ピックアップ１０４は、それぞれの検出信号よりフォーカシング誤差信号、トラッキング誤差信号等を生成する。
【００２１】
図１に戻って、ドライブ回路１０５は、記録回路１０６と、サーボ回路１０７と、信号検出回路１０８と、コントローラー１０９と、評価回路１１０とを備える。記録回路１０６は、光ピックアップ１０４の光源２０１を駆動し、光源２０１の光量を変調する。サーボ回路１０７は、光ピックアップ１０４のフォーカス制御やトラッキング制御を司る。信号検出回路１０８は、光ピックアップ１０４の情報信号を検出する。コントローラー１０９は、記録回路１０６とサーボ回路１０７と信号検出回路１０８の全体を制御する。光ピックアップ１０４からのフォーカシング誤差信号およびトラッキング誤差信号は、ドライブ回路１０５に入力される。
【００２２】
フォーカシング誤差信号は、記録媒体１０１の記録面に対する光ピックアップ１０４のフォーカスのずれを示す信号である。光ピックアップ１０４は、４分割の受光領域を有する第１の受光部２０８の検出信号から、例えば非点収差法によりフォーカシング誤差信号を生成する。
【００２３】
光ピックアップ１０４は、フォーカシング誤差信号に基づいて記録媒体１０１に対するフォーカシング動作を行う。光ピックアップ１０４からのフォーカシング誤差信号はサーボ回路１０７に入力される。サーボ回路１０７は、フォーカシング誤差信号に基づいてフォーカス駆動信号を生成する。光ピックアップ１０４は、サーボ回路１０７で生成されたフォーカス駆動信号により、光ピックアップ１０４の図示しない対物レンズアクチュエータを駆動することにより、記録媒体１０１に対するフォーカシング動作を行う。第１の光スポット１０２のフォーカシング制御を行うことにより、自動的に第２の光スポット１０３も記録媒体１０１上に集光される。
【００２４】
トラッキング誤差信号は、記録媒体１０１のトラックに対する光ピックアップ１０４の光スポットの位置ずれを示す信号である。第１の光スポット１０２および第２の光スポット１０３が同一トラック上に集光されるように、予め光ピックアップ１０４と記録媒体１０１は、相対的な位置調整が行われる。光ピックアップ１０４は、４分割の受光領域を有する第１の受光部２０８の検出信号から、例えばプッシュプル法によりトラッキング誤差信号を生成する。
【００２５】
光ピックアップ１０４は、トラッキング誤差信号に基づいて記録媒体１０１に対するトラッキング動作を行う。光ピックアップ１０４からのトラッキング誤差信号はサーボ回路１０７に入力される。サーボ回路１０７は、トラッキング誤差信号に基づいてトラッキング駆動信号を生成する。光ピックアップ１０４は、サーボ回路１０７で生成されたトラッキング駆動信号により、光ピックアップ１０４の対物レンズアクチュエータを駆動することにより、記録媒体１０１上の所定のトラックに対するトラッキング動作を行う。第１の光スポット１０２のトラッキング制御を行うことにより、自動的に第２の光スポット１０３も同一トラック上に制御される。
【００２６】
記録回路１０６は、光量検出器２１０からの検出信号を用いて光源２０１の光量を一定に制御する。また、記録回路１０６は、記録すべき情報に応じて光源２０１の変調等を行う。
【００２７】
信号検出回路１０８は、光ピックアップ１０４からの検出信号に基づいて、記録すべき情報であるユーザーデータに対応する情報信号や、トラックやセクターの位置に対応するアドレス情報等を生成する。
【００２８】
評価回路１１０は、光ピックアップ１０４からの検出信号を評価することにより、記録すべき情報が適切に記録媒体１０１に記録されたかどうかの評価等を行う。
【００２９】
コントローラー１０９は、サーボ回路１０７を制御して適切なフォーカシング動作やトラッキング動作を行うと共に、信号検出回路１０８からのアドレス情報に基づいて光ピックアップ１０４を所定のトラックにシークさせたり、記録回路１０６を制御して所定のトラックへの情報の記録再生を行う。
【００３０】
図２において、記録媒体１０１の回転方向に対して先行している第１の光スポット１０２で情報の記録を行い、後行している第２の光スポット１０３で、記録直後に情報の再生を行い、記録品質の評価を行う。
【００３１】
図３は、記録媒体１０１に記録を行う際の、光源２０１の記録変調波形を説明する図である。図３において、記録媒体１０１は、書き換え型ＢＤディスクであり、記録変調波形を簡略化して示している。図３において、横軸は時間を示している。
【００３２】
図３において、信号（１）は、記録を行う１−７ＰＰ変調方式による信号であり、ＮＲＺＩ（Ｎｏｎ  Ｒｅｔｕｒｎ  ｔｏ  Ｚｅｒｏ  Ｉｎｖｅｒｔｉｎｇ）変換後の信号である。波形（２）は、信号（１）に対応する光源２０１の変調波形である。記録状態（３）は、記録媒体１０１のトラック上に記録される記録マークを示している。
【００３３】
波形（２）において、縦軸は、光ピックアップ１０４の光源２０１が、記録媒体１０１に照射する光の光量（光レベル）を示している。光源２０１の変調波形は、３つの光レベルＰｗ、Ｐｅ、およびＰｂで制御されている。
【００３４】
具体的には、信号（１）の信号が０の部分は、光レベルＰｅで照射される。光レベルＰｅは、記録媒体１０１に既に記録されている情報を消去する光レベルである。記録媒体１０１において光レベルＰｅで照射された部分は、記録状態（３）で示すように記録マークのないスペースとなる。信号（１）の信号が１である部分は、光レベルＰｗと光レベルＰｂによるマルチパルスにて照射され、照射された部分は、記録状態（３）の記録マークとなる。
【００３５】
マークを記録する際にマルチパルスを用いず、光レベルＰｗで照射する方法もある。しかし、光レベルＰｗで照射すると、マークの記録開始部分は熱が不足気味になり、マークの記録終わり部分は熱の伝搬により熱が過剰気味になる。そのため、記録マークの形状が、記録開始部分は細く、記録終わり部分に向かって徐々に太くなる「涙型」となり、良好な記録マークの作成が困難である。
【００３６】
従って、記録状態（３）のように、記録開始部分から記録終わり部分まで、均一な記録マーク幅を実現するためには、波形（２）のようなマルチパルスが望ましい。
【００３７】
なお、書き換え型ＢＤディスクの実際の記録に際しては、波形（２）よりも複雑なマルチパルスの制御が行われているが、本実施の形態の説明に影響しない範囲で簡略化してある。
【００３８】
マルチパルスを用いて第１の光スポット１０２で情報の記録を行ったとき、その情報を再生する第２の光スポット１０３も、光源２０１が共通のため、マルチパルスで変調を受けてしまう。そのため、第２の光スポット１０３からの再生信号にマルチパルス波形が重畳されてしまう。この重畳されたマルチパルス波形は、再生信号にとっては外乱やノイズとなる。したがって、正確な情報を再生するためには、再生信号からマルチパルス波形を除去する必要がある。
【００３９】
再生信号からマルチパルス波形を除去する方法としては、光量検出器２１０から出力されるマルチパルス波形を用いて、再生信号に対して差動や除算を行うことによって除去する方法等、様々な方法が提案されている。しかしながら、いずれの方法の場合も、以下の課題を有している。
【００４０】
書き換え型ＢＤディスクの場合、標準的な２倍速で記録を行ったとき、マルチパルスの周波数は１３２ＭＨｚとなる。このマルチパルスの周波数が高いため、第２の光スポット１０３による再生信号において、マルチパルスに波形歪みが生じてしまう。その原因として、具体的には、第２の受光部２０９の周波数特性や、通常は光検出器２０７内に集積化されていることが多い図示しないヘッドアンプ回路の周波数特性やスルーレート、および光ピックアップ１０４からドライブ回路１０５への配線によるインピーダンスの影響等がある。
【００４１】
また、マルチパルスをキャンセルするための、例えば光量検出器２１０からの信号に含まれるマルチパルスにも波形歪みが生じるが、受光素子やヘッドアンプ回路、配線の差異や個体バラツキ等の要因によって、その歪み量は異なる。そのため差動や除算を行っても、マルチパルスを完全に除去することは困難で、残差が生じてしまう。
【００４２】
第２の光スポット１０３からの再生信号において、例えば２Ｔのマークとスペースでできる信号成分は非常に小さい。ここで、Ｔはチャンネルクロックであり、図３の信号（１）の０または１の１個分の長さである。そのため、僅かなマルチパルスの残差であっても再生信号に影響を与える。したがって、正確な再生信号品質の評価が難しいという大きな課題を有していた。
【００４３】
図４は、本実施の形態における再生信号による評価を説明する図である。図４において、横軸は時間を示している。図４において、マルチパルス部分の波形は簡略化して図示している。
【００４４】
図４において、信号（１）は、記録のための光源２０１の変調波形である。Ａ部の期間において、第１の光スポット１０２で記録が行われるとしたとき、その記録されたマークやスペースを第２の光スポット１０３が走査する期間がＢ部である。Ｂ部の期間において、第２の光スポット１０３が走査するとき、Ｂ部の期間において図示しているように、光源２０１は、Ａ部の期間における変調パターンとは全く異なる変調パターンで変調されている。
【００４５】
信号（２）は、Ｂ部の期間のように光源２０１の波形が変調された状態で、第２の光スポット１０３から再生される再生信号を示している。波形上の細かい変調成分が、マルチパルスの重畳を模式的に示している。
【００４６】
信号（３）は、光源２０１が一定の光レベルＰｅで発光している期間のみを、図示しないゲート回路等で抽出した波形を示している。この期間においては光源２０１が一定の光レベルＰｅで発光しているため、第２の光スポット１０３からの再生信号にはマルチパルスが含まれない。つまり、この期間での再生信号は、マルチパルス重畳部分の影響を回避できることがわかる。
【００４７】
信号（４）は、信号（３）の波形を、図示しないイコライジング回路等で波形成形した波形を示している。
【００４８】
また、信号（５）は、信号（４）の波形をスライスレベルで２値化した波形を示している。これらの波形処理は、信号検出回路１０８にて行われる。
【００４９】
書き換え型ＢＤディスクの場合、十分長いデータ長、例えば２０００Ｔ程度では、１と０は等しい頻度で現れる。そこで評価回路１１０で、チャンネルクロックＴごとに信号（５）の波形の０と１の出現数をカウントし、その比率から第１の光スポット１０２による記録品質を評価する。この評価は、マルチパルスが含まれる波形部分は除去しているため、マルチパルスによる波形歪みの影響を受けない良好な記録品質評価が可能となる。
【００５０】
信号（６）は、Ｂ部の期間で本来再生されるべき波形に対応したＡ部の区間の光変調波形を示している。
【００５１】
信号（７）は、Ａ部の期間の変調波形に対応するデータのうち、光源２０１が一定光量Ｐｅで発光している期間のみを抽出した波形を示している。理想的には、信号（５）と信号（７）とは全く同じ波形になるため、この２つの波形を比較することにより、第１の光スポット１０２による記録品質を評価することができる。図４では、２つの波形が一致する部分と、一致しない部分を意図的に図示している。
【００５２】
例えば評価回路１１０で、チャンネルクロックＴごとに信号（５）の波形と信号（７）の波形の一致、不一致をカウントし、不一致の比率をもって記録品質の指標とすることができる。また、評価回路１１０で信号（５）と信号（７）との差動信号を作り、その差動信号を所定の期間積分し、その積分値をもって記録品質の指標とすることも可能である。理想的には、信号（５）の波形と信号（７）の波形が一致するため差動信号は０となり、積分値も０となる。このように信号（５）の波形と信号（７）の波形を比較する場合も、マルチパルスが含まれる波形部分は除去しているため、マルチパルスによる波形歪みの影響を受けない良好な記録品質評価が可能となる。
【００５３】
［１−３．効果等］
以上のように、本実施の形態において、記録再生装置１００は、光源２０１と、光源２０１からの光を分岐し、記録媒体１０１上に第１の光スポット１０２と第２の光スポットと１０３を形成する光学系と、光源２０１を駆動および光源２０１の光量を変調し、さらに、記録する情報に基づいて光源２０１の光量を変調し第１の光スポット１０２により記録媒体１０１へ情報の記録を行う記録回路１０６と、記録回路１０６が光源２０１の光量を一定で発光させる期間において、記録媒体１０１に記録されている情報を第２の光スポット１０３により再生して評価を行う評価回路１１０と、を備える。
【００５４】
そして、評価回路１１０は、上記期間において記録媒体１０１に記録された情報を第２の光スポット１０３により再生する再生信号に基づいて生成する第１のデータと、上記期間において第２の光スポット１０３により再生する情報に対応する、記録媒体１０１に記録する元の情報に基づいて生成する第２のデータと、を比較して評価を行う。
【００５５】
これにより、第２の光スポット１０３からの再生評価に際し、マルチパルスによる波形歪みの影響が生じない良好な記録品質評価を実現できる。
【００５６】
（実施の形態２）
次に、図５〜１０を用いて、実施の形態２を説明する。
【００５７】
［２−１．構成］
書き換え型ＢＤディスクのように記録密度が高いシステムでは、短い記録マークが光学的な分解能の限界に近いため、十分な信号振幅が得られず、符号間干渉やクロストーク等の影響等が大きくなってくる。このとき、信号処理としてイコライジングと２値化では十分な信号品質の確保が難しいため、ＰＲＭＬ（Ｐａｒｔｉａｌ  Ｒｅｓｐｏｎｓｅ  Ｍａｘｉｍｕｍ  ｌｉｋｅｌｉｈｏｏｄ）信号処理が用いられる。そこで、第２の光スポット１０３によるＤＲＡＷ時にもＰＲＭＬ信号処理を用いて、記録された情報の再生評価をすることが望ましい。しかし、実施の形態１で説明した図４の信号（３）のようなマルチパルス重畳部分を除去した再生信号は、細切れで不連続であるため、ＰＲＭＬ信号処理は困難である。
【００５８】
そこで本実施の形態では、記録回路が光源を一定光量で発光させる期間の全体または一部の期間を第１の期間とし、記録回路が光源を発光させる期間のうち第１の期間以外の期間を第２の期間とし、第１の期間において第２の光スポットにより記録媒体に記録された情報を再生した波形を第１の再生波形とし、第２の期間において第２の光スポットにより情報を再生した記録媒体上の位置に記録回路が記録した記録すべき情報に基づいて生成した波形を第２の再生波形としたとき、評価回路は、第１の再生波形と第２の再生波形との演算結果に基づいて情報の再生評価を行う。
【００５９】
図５は、本実施の形態における再生信号による評価を説明する図である。図５において、横軸は時間を示している。図５において、マルチパルス部分の波形は簡略化して図示している。
【００６０】
図５において、信号（１）は、第２の光スポット１０３が再生動作を行う際の、光源２０１の変調波形を示している。信号（２）は、光源２０１の波形が変調された状態で、第２の光スポット１０３からの再生波形を示している。信号（２）には、外乱となるマルチパルスが重畳されたマルチパルス重畳部分がある。信号（３）は、光源２０１が一定の光レベルＰｅで発光している期間のみを、図示しないゲート回路等で抽出した波形であり、マルチパルス重畳部分が除去された第１の再生波形を示している。
【００６１】
信号（４）は、マルチパルス重畳部分に再生されると予測する第２の再生波形を示している。ＤＲＡＷでは、第２の光スポット１０３で再生される信号は、第１の光スポット１０２で直前に記録した信号であるため、第２の光スポット１０３から再生されると予測する元データを特定することができる。この元データに、光学的再生によるＭＴＦ（Ｍｏｄｕｌａｔｉｏｎ  Ｔｒａｎｓｆｅｒ  ｆｕｎｃｔｉｏｎ）や第２の受光部２０９や図示しないヘッドアンプ回路、配線などの周波数特性をシミュレートして演算することにより、第２の光スポット１０３から再生されると予測する予測波形を得ることができる。この予測波形から信号（１）のマルチパルス重畳部分に対応する部分を抽出した波形が、信号（４）の第２の再生波形となる。
【００６２】
信号（５）は、信号（３）と信号（４）とを合成した信号である。信号（５）は、信号（２）においてマルチパルス重畳部分である部分も含め、マルチパルスが重畳されていない連続的な再生波形が得られる。
【００６３】
信号（５）は、評価回路１１０におけるＰＲＭＬ信号処理による評価や、エラーレート評価が可能となり、第１の光スポット１０２による通常の再生とほぼ同様の信号評価が行えるため、通常再生に即した、より高水準な記録品質評価を実現することが可能となる。
【００６４】
図６は、本実施の形態における記録再生装置６００の構成を示す図である。コントローラー１０９から記録回路１０６に、マルチパルスよりなる変調信号６０１が送られる。本実施の形態では、コントローラー１０９からマルチパルスを含む変調信号６０１が出力される場合を説明する。変調信号６０１は、図５における信号（１）に対応する。
【００６５】
なお、コントローラー１０９からは記録するための元データが出力され、記録回路１０６がこの元データから変調信号６０１を生成するようにしてもよい。
【００６６】
変調信号６０１は、マルチパルス重畳部分を除去するためのゲート回路６０２に入力される。ゲート回路６０２からは、第２の光スポット１０３からの再生波形６０６からマルチパルス部を除去するためのゲート信号６０３が出力される。再生波形６０６は、図５における信号（２）に対応する。
【００６７】
再生波形６０６とゲート信号６０３とを演算する。具体的には、ゲート信号６０３がハイレベルのとき再生波形６０６を出力し、ゲート信号６０３がローレベルのときは何も出力しない。このように演算することで、マルチパルスが除去された第１の再生波形６０７が得られる。第１の再生波形６０７は、図５における信号（３）に対応する。
【００６８】
また、ゲート信号６０３をインバーター６０４に入力することで、マルチパルス重畳部分のみを抽出するためのゲート信号６０５が得られる。
【００６９】
一方、変調信号６０１は、波形補整回路６０８に入力される。ここで、波形補整回路６０８は、周波数特性補正回路６０９と遅延回路６１０とゲイン回路６１１で構成される。周波数特性補正回路６０９は、例えば光学的ＭＴＦや回路の周波数特性等の補正を行う。遅延回路６１０は、第１の光スポット１０２で記録されたデータが第２の光スポット１０３に到達するまでの時間、信号を遅延させる。ゲイン回路６１１は、生成した波形と第１の再生波形６０７の振幅やオフセットを合わせる。
【００７０】
波形補整回路６０８の出力とゲート信号６０５とを演算する。具体的には、ゲート信号６０５がハイレベルのとき波形補整回路６０８の出力を出力し、ゲート信号６０５がローレベルのときは何も出力しない。このように演算することで、マルチパルス重畳部分に対応する部分を抽出された第２の再生波形６１２が得られる。第２の再生波形６１２は、図５における信号（４）に対応する。
【００７１】
そして、第１の再生波形６０７と第２の再生波形６１２とが合成されることで、連続した評価用波形６１３が得られる。評価用波形６１３は、例えばＰＲＭＬ信号処理やエラーレート評価を行う評価回路１１０に入力される。評価回路１１０によって第２の光スポット１０３からの再生信号を評価することにより、第１の光スポット１０２による通常の再生とほぼ同等の、良好な記録品質評価を実現することが可能となる。
【００７２】
なお、図６ではアナログ波形を用いて信号処理のシーケンスを図示したが、例えば再生波形６０６をＡＤ変換した後、ディジタル信号で同様の信号処理を行ってもよい。
【００７３】
本実施の形態ではさらに、第１の再生波形６０７と第２の再生波形６１２とを合成する際、時間軸方向や振幅方向の誤差を小さくすることが望ましい。
【００７４】
第１の再生波形６０７と第２の再生波形６１２の時間軸方向のずれ量は、記録媒体１０１上での、第１の光スポット１０２と第２の光スポット１０３との光スポット間隔、および、記録媒体１０１の線速度で決まる。例えば、光スポット間隔が１０μｍ、線速度が１０ｍ／ｓｅｃの場合、第１の再生波形６０７と第２の再生波形６１２の時間ずれは１μｓｅｃとなる。したがって、遅延回路６１０で１μｓｅｃだけ遅延させれば、第１の再生波形６０７と第２の再生波形６１２をずれ無く合成することが可能となる。実際には、光スポット間隔に起因する遅延量の他、第１の再生波形６０７と第２の再生波形６１２を合成するまでの、各々の信号処理経路によって発生する遅延差等も考慮することが望ましい。
【００７５】
ここで、光スポット間隔や線速度に誤差が生じると、時間ずれにも誤差を生じてしまう。この誤差を低減する方法として、記録データに含まれるＳｙｎｃ等を用いる方法を説明する。図７は、記録媒体の一例であるＢＤディスクの記録フレーム構造を示す図である。図７において、記録フレーム（１）は、先頭部分に配置される３０チャンネルビットのＦｒａｍｅ  Ｓｙｎｃ部と、それに続くｄａｔａ部とを含む。ビット列（２）は、Ｆｒａｍｅ  Ｓｙｎｃ部のビット列を示している。波形（３）は、ビット列（２）をＮＲＺＩ変換した記録波形を示している。記録状態（４）は、記録媒体１０１に記録されるマークとスペースとを示している。図７に示すように、記録フレームの先頭にあるＦｒａｍｅ  Ｓｙｎｃ部には必ず９Ｔのマークとスペースが含まれている。そのため、この９Ｔ信号を用いて第１の再生波形６０７と第２の再生波形６１２のずれ量を正確に求めることができる。具体的には、第１の光スポット１０２が９Ｔ信号を記録開始した瞬間から、第２の光スポット１０３で９Ｔ信号が再生開始されるまでの時間を計測し、その時間を遅延回路６１０で遅延させれば良い。上述した例では、第１の光スポット１０２が９Ｔ信号を記録開始した後、約１μｓｅｃ後に第２の光スポット１０３から９Ｔ信号が再生されることは既知であるので、第２の光スポット１０３の再生信号から９Ｔ信号を検出することは容易である。９Ｔ信号の検出は、第１の再生波形６０７から検出しても良いし、マルチパルス重畳部分が除去されていない再生波形６０６から検出することも可能である。９Ｔ信号は信号振幅が大きいため、マルチパルス重畳部分が含まれたままでも検出は可能であるが、再生波形６０６を図示しないＬＰＦ（Ｌｏｗ  Ｐａｓｓ  Ｆｉｌｔｅｒ）に通してマルチパルス成分を除去してもよい。マルチパルス成分の周波数１３２ＭＨｚに対し、９Ｔ信号は約７．３ＭＨｚのため、ＬＰＦで容易に除去できる。または、再生波形６０６を光量検出器２１０の信号で除算してマルチパルス成分をある程度キャンセルしてもよい。第１の再生波形６０７と第２の再生波形６１２の波形合成時に、上述したようなように時間軸方向の波形ずれを補正することで、波形合成の精度が向上し、より高精度な記録品質評価が可能となる。
【００７６】
また、第１の再生波形６０７と第２の再生波形６１２を合成する際、振幅方向の誤差を小さくするように、ゲイン回路６１１を適切に設定することが望ましい。簡便に振幅を合わせる１つの方法として、第１の再生波形６０７と第２の再生波形６１２の各々の平均信号レベルを一致させる方法がある。第１の再生波形６０７の平均レベルは、第１の再生波形６０７あるいは再生波形６０６を図示しないＬＰＦに通すことにより容易に得られる。第２の再生波形６１２の平均レベルも同様に、第２の再生波形６１２あるいは波形補整回路６０８の出力波形を図示しないＬＰＦに通すことにより容易に求められる。また、第２の再生波形６１２は、波形補整回路６０８内で演算処理して作成されているので、その平均レベルも演算にて求めることが可能である。
【００７７】
このようにして求めた第１の再生波形６０７と第２の再生波形６１２の各々の平均レベルが概略一致するようにゲイン回路６１１を設定することにより、第１の再生波形６０７と第２の再生波形６１２との振幅を揃えて波形合成することが可能となる。
【００７８】
さらに、精度よく振幅を一致させる方法として、Ｆｒａｍｅ  Ｓｙｎｃ部に含まれる９Ｔ信号を利用する方法がある。上述した第１の再生波形６０７と第２の再生波形６１２波形のずれ量の検出時と同様に、第１の再生波形６０７に含まれる９Ｔ信号を抽出することが可能である。また第２の再生波形６１２に含まれる９Ｔ信号も、周波数特性補正回路６０９の出力により容易に抽出することができる。これら２つの９Ｔ信号の振幅が等しくなるように、ゲイン回路６１１のゲインやオフセットを設定することで、第１の再生波形６０７と第２の再生波形６１２との合成時の振幅方向の誤差を小さくすることが可能となり、より高精度な記録品質評価が可能となる。
【００７９】
また、Ｆｒａｍｅ  Ｓｙｎｃ部に含まれる９Ｔ信号を用いて、波形合成時の振幅やオフセットを調整した場合、以下のような課題が生じる場合がある。
【００８０】
図８は、再生波形を模式的に示した図である。図８において、波形８００は、波形補整回路６０８の出力波形、あるいは第２の再生波形６１２の波形の例である。波形８００は、一般的にアイパターンと呼ばれる波形で、図７に示す記録フレーム（１）のｄａｔａ部の波形に相当する。波形８００は、２Ｔから８Ｔまでの長さのマークとスペースの様々な組合せパターンを再生したときの波形を重ね合わせたものである。波形８００のうち、破線部で示す２Ｔ波形８０１は、再生波形の振幅が最も小さい２Ｔのマークとスペースの繰り返しパターンに相当する波形である。最も大きな振幅Ｉ８ｐｐは、８Ｔのマークとスペースの繰り返しパターンの再生波形である８Ｔ波形の振幅を示している。
【００８１】
なお、Ｆｒａｍｅ  Ｓｙｎｃ部に含まれる９Ｔ信号の再生波形はＩ８ｐｐより少し大きい振幅となるが、発生頻度が低く通常のアイパターンではほとんど見えないため、図８では省略している。
【００８２】
波形８０２、８０３、８０４は、第１の再生波形６０７の波形の例である。図８において、波形８０２、８０３、８０４はいずれも、見易さのために、２Ｔのマークとスペースの繰り返しパターンを再生したときの２Ｔ波形のみを図示し、他の長さの繰り返しパターンの再生波形は省略している。
【００８３】
Ｆｒａｍｅ  Ｓｙｎｃ部に含まれる９Ｔ信号を用いて、波形８００に対してゲイン回路６１１にて振幅やオフセットが調整される。その結果、第１の再生波形６０７における８Ｔ波形は、Ｉ８ｐｐの振幅やオフセットが波形８００のそれとほぼ一致する。しかしながら、第１の再生波形６０７のうち２Ｔ波形に注目すると、図８に示すように、波形８０２、８０３、８０４のオフセット位置は異なっている。このオフセット位置の差は、記録時の記録パワー誤差等による記録されたマークサイズの差異に起因する。
【００８４】
通常、ユーザーデータの記録を行う前にテスト記録を行って、最適な記録パワーを決定する記録パワー学習が実施される。しかしながら、記録パワー学習時の学習誤差や、記録媒体の場所による汚れ差等により、最適な記録パワーからずれたパワーで記録されることがある。記録パワーが最適パワーからずれると、記録されるマークの大きさ、主として長さが、最適マーク長、一般的には同じデータ長のマークとスペースの長さがほぼ等しい状態、より長くなったり、短くなったりする。
【００８５】
波形８０２は、最適な記録パワーで記録されたマークとスペースを再生した波形である。波形８０２に含まれる２Ｔ波形のオフセット位置が、２Ｔ波形８０１とほぼ一致している。
【００８６】
それに対し波形８０３は、記録パワーが最適パワーから小さめにずれたため、マークが最適マーク長より小さくなってしまう。このため、波形８０３に含まれる２Ｔ波形は、２Ｔ波形８０１より上側にオフセットしている。
【００８７】
反対に、波形８０４は、記録パワーが最適パワーから大きめにずれたため、マークが最適マーク長より大きくなってしまう。このため、波形８０４に含まれる２Ｔ波形は、２Ｔ波形８０１より下側にオフセットしている。
【００８８】
このような波形８０３や波形８０４を波形８００と合成した場合、波形の繋ぎ目部分で２Ｔ信号に段差が生じ、なめらかに連続した波形が得られない。評価回路１１０でこの波形を評価した場合、２Ｔ波形の段差により評価結果に誤差を生じてしまう。
【００８９】
この課題を低減する方法を、図９を用いて説明すする。図９は、ＢＤディスクの記録フレームの構造を示す別の図である。図９において、記録フレーム（１）では、先頭のＦｒａｍｅ  Ｓｙｎｃ部内に、ビット列（２）に示すように、９Ｔのマークとスペースに対応するビット列に続き、破線部９０１で示す２Ｔのマークとスペースに対応するビット列を設けている。波形（３）は、ビット列をＮＲＺＩ変換した記録波形である。記録状態（４）は、記録媒体１０１に記録されたマークとスペースを示している。このようなＦｒａｍｅ  Ｓｙｎｃ部を用いた場合、波形補整回路６０８の出力波形や再生波形６０６から、各々９Ｔ信号と２Ｔ信号とを抽出することが可能となる。このため、波形合成時に第１の再生波形６０７と第２の再生波形６１２の２Ｔ信号レベルが一致するようにゲイン回路６１１でオフセット調整をすることができる。
【００９０】
このことにより、波形補整回路６０８の出力波形に基づく第２の再生波形６１２と第１の再生波形６０７とを、波形の継ぎ目部分で２Ｔ信号に段差が生じることなく、滑らかに合成することができる。よって、評価回路１１０で、２Ｔ信号の段差に起因する評価誤差の生じない、良好な記録品質評価が可能となる。
【００９１】
記録パワー誤差のある再生波形において、２Ｔ信号でオフセットを合わせた場合、８Ｔ信号のオフセットが若干一致しなくなるが、２Ｔ信号に対し８Ｔ等の長いマークやスペースでは、そのオフセットずれの影響は軽微であるため、２Ｔ信号等の短いマークやスペースのオフセットを一致させる方が、良好な評価が可能となる。２Ｔ信号等のオフセットレベルは、その信号のマークとスペースの平均レベルを用いることで、簡便に決定することができる。
【００９２】
また、２Ｔ信号のオフセットを一致させる方法以外に、２Ｔ信号と９Ｔ信号のオフセットがそれぞれある程度小さくなるレベルにオフセット調整してもかまわない。
【００９３】
なお、Ｆｒａｍｅ  Ｓｙｎｃ部の一例として９Ｔ信号と２Ｔ信号を用いたが、この信号に限定されるものではなく、例えば８Ｔ信号と３Ｔ信号の組み合せ等でもかまわない。また、２種類ではなく３種類以上の信号をＦｒａｍｅ  Ｓｙｎｃ部内に設けて、それぞれの信号の振幅やオフセットを用いて、適切な配分で波形合成時の振幅やオフセットを決定することも可能である。
【００９４】
さらに、Ｆｒａｍｅ  Ｓｙｎｃ部内の例えば９Ｔ信号と２Ｔ信号の順番は、原理的にはどちらが先行してもかまわないが、２Ｔ信号は振幅が小さいため、振幅が大きく検出が容易な９Ｔ等データ長の長いマークとスペースの信号を先行させることが望ましい。
【００９５】
次に、第１の再生波形６０７を得るためのゲート信号６０３の生成について詳細に説明する。図１０は、第１の再生波形６０７を得るためのゲート信号６０３を説明する図である。図１０において、横軸は時間を示している。
【００９６】
図１０において、信号（１）は、コントローラー１０９から記録回路１０６に入力される、マルチパルスよりなる変調信号６０１を示している。信号（２）は、ゲート回路６０２によって生成された、変調信号６０１の光源２０１を一定光量で発光させる部分に対応したゲート信号６０３を示している。信号（２）のうち、ゲート時間Ｔｗ１の信号が、第１の再生波形６０７を得るためのゲート信号である。
【００９７】
しかしながら、実際の記録再生装置では以下に示すような誤差要因がある。信号（３）は、変調信号６０１によって変調された、光源２０１の光波形を示している。記録回路１０６内部の信号遅延や、記録回路１０６から光源２０１までの配線等の影響で、実際の光波形は変調信号６０１に対し時間ｔｄだけ遅延が発生している。信号（４）は、実際の光波形で変調された第２の光スポット１０３の、記録媒体１０１からの反射光を受光した光検出器２０７の出力波形である再生波形６０６を示している。信号（４）の波形に、実際は第１の光スポット１０２で記録された情報の再生波形が重畳されるが、ここでは説明を容易にするために再生波形は省略している。
【００９８】
再生波形６０６は、第２の受光部２０９や図示しないヘッドアンプ回路の周波数特性等の影響で波形が歪み、例えば信号（４）の破線部１００１のようにリンギングが発生する場合がある。信号（４）の波形に対し、信号（２）のゲート信号でゲートを行うと、ゲート時間Ｔｗ１内に破線部１００２のようにマルチパルス波形の一部やリンギング波形が含まれてしまい、再生信号品質に影響を与えてしまう。
【００９９】
これに対し、信号（５）は、その影響を回避するゲート信号の一例で、破線部１００２のようにマルチパルス波形の一部やリンギング波形を含まないゲート時間Ｔｗ２に設定されている。
【０１００】
このように、記録回路１０６が光源２０１を一定光量で発光させようとするゲート時間Ｔｗ１より、ゲート時間Ｔｗ２を短く設定することにより、信号の遅延やリンギング等の波形歪みの影響を受けずに、良好に再生波形６０６をゲートすることが可能となり、より高精度な記録品質評価が可能となる。
【０１０１】
なお、信号（５）では、ゲート信号の立ち上がり部のタイミングのみを変更したが、再生波形６０６の歪みや遅延に応じて立ち下がり部のタイミングを変更してもかまわない。
【０１０２】
また、どの程度時間を短く設定するかは、記録再生装置６００の性能に応じて、信号（４）、信号（５）に例示したように適切に設定することが望ましい。
【０１０３】
信号（４）の記録された再生波形が含まれない再生波形６０６は、記録媒体１０１にマークが記録されない低いパワー設定で光源を変調する、あるいは記録膜の代わりにアルミ等の反射膜が蒸着されたテストディスク等を用いる、等の手法で容易に観測することが可能で、その波形より適切なゲート時間Ｔｗ２を得ることができる。
【０１０４】
［２−２．効果等］
以上のように、本実施の形態において、光源２０１と、光源２０１からの光を分岐し、記録媒体１０１上に第１の光スポット１０２と第２の光スポットと１０３を形成する光学系と、光源２０１を駆動および光源２０１の光量を変調し、さらに、記録する情報に基づいて光源２０１の光量を変調し第１の光スポット１０２により記録媒体１０１へ情報の記録を行う記録回路１０６と、記録回路１０６が光源２０１の光量を一定で発光させる期間において、記録媒体１０１に記録されている情報を第２の光スポット１０３により再生して評価を行う評価回路１１０と、を備える。
【０１０５】
そして評価回路１１０は、上記期間を第１の期間とし、第１の期間以外の期間を第２の期間とし、第１の期間において記録媒体に記録された情報を第２の光スポット１０３により再生する波形を第１の再生波形６０７とし、第２の期間において第２の光スポット１０３により再生する情報に対応する、記録媒体１０１上に記録する元の情報に基づいて生成する波形を第２の再生波形６１２としたとき、第１の再生波形６０７と第２の再生波形６１２との演算結果に対して評価を行う。
【０１０６】
さらに評価回路１１０は、記録媒体１０１上に記録する元の情報に含まれる、第１のデータ長を有するマークおよびスペースの平均レベルと、第１のデータ長とは異なる第２のデータ長を有するマークおよびスペースの平均レベルとに基づいて、第１の再生波形６０７と第２の再生波形６１２とを演算する際のオフセット量を決定する。
【０１０７】
これにより、第２の光スポット１０３からの再生評価に際し、マルチパルスによる波形歪みの影響が生じないとともに、ＰＲＭＬ信号処理やエラーレート評価等の手法を用いた良好な記録品質評価を実現できる。
【０１０８】
（実施の形態３）
実施の形態２では、記録媒体１０１に情報の記録を行いながら、光源２０１が一定光量で発光している期間を利用して記録された情報の高品位な再生評価を実施する。このため、常時情報の記録状態が確認できるという大きな利点がある反面、波形合成等の信号処理がやや煩雑になる傾向がある。
【０１０９】
そこで本実施の形態では、記録回路は、記録すべき情報に含まれる所定の長さの第１のギャップ領域において、光源を一定光量で発光させ、同時に、評価回路は第２の光スポットで情報の再生評価を行う。
【０１１０】
以下、図１１〜１５を用いて、実施の形態３を説明する。
【０１１１】
［３−１．構成］
図１１は、実施の形態３における再生評価の概要を説明する図である。記録フレーム（１）は、記録フレームの概略を示している。記録フレーム（１）は、Ｆｒａｍｅ  Ｓｙｎｃ部、ｄａｔａ部に続いて、第１のギャップ領域１１０１が設けられている。信号（２）は、記録フレーム（１）に対応して、記録を行うための光源２０１の変調信号６０１を示している。変調信号６０１は、Ｆｒａｍｅ  Ｓｙｎｃ部やｄａｔａを記録する区間Ｔ１では、マルチパルスを含む変調信号であるが、第１のギャップ領域１１０１に対応する区間Ｔ２では、一定の光量Ｐｅに設定されている。
【０１１２】
再生データ（３）は、記録媒体１０１から第２の光スポット１０３で再生できるデータを示している。第１の光スポット１０２で記録媒体１０１に記録された情報は、記録媒体１０１上での第１の光スポット１０２と第２の光スポット１０３のスポット間隔と、記録媒体１０１の線速度で決まる遅延時間Ｔ３を経て、第２の光スポット１０３に到達する。
【０１１３】
このことにより、第２の光スポット１０３は、光源２０１が一定の光量Ｐｅで発光している区間Ｔ２において、再生データ（３）のハッチング部分のｄａｔａ部を再生することができる。また、ハッチング部分のｄａｔａ部を用いて、評価回路１１０でＰＲＭＬ信号処理やエラーレート評価等の手法を用いた高品位な評価が行える。このように、第１のギャップ領域１１０１を利用して第２の光スポット１０３で情報の再生を行うことにより、マルチパルスによる波形歪みの影響を受けない良好な記録品質評価が可能となる。
【０１１４】
一般に光記録では、良好な記録再生を行うために、データ記録時にＤＣ（Ｄｉｒｅｃｔ  Ｃｕｒｒｅｎｔ）制御が行われている。これは記録信号や再生信号のＤＣ成分を抑圧することで、記録媒体１０１上に記録されるマークとスペースの各々の累積が、ほぼ等しくなるように調整する。例えば書き換え型ＢＤディスクの場合、記録フレーム内に数箇所のＤＣコントロール用のデータが１ビットずつ挿入されている。しかしながら、図１１における記録フレーム（１）の第１のギャップ領域１１０１の場合、比較的長いスペース部を記録することになるため、数カ所程度のＤＣコントロールビットではＤＣ制御を行うことが困難になる場合がある。
【０１１５】
図１２は、実施の形態３における再生評価の概要を説明する別の図である。図１１の記録フレーム（１）の第１のギャップ領域１１０１のような長いスペース部を記録する場合でも、ＤＣ制御を可能にする。図１２において、記録フレーム（１）は、Ｆｒａｍｅ  Ｓｙｎｃ部、ｄａｔａ部に続いて、第１のギャップ領域１１０１が設けられ、第１のギャップ領域１１０１に続いて、第１のギャップ領域１１０１とほぼ同じデータ長の第２のギャップ領域１２０１が設けられている。
【０１１６】
変調信号（２）は、記録フレーム（１）に対応して、記録を行うための光源２０１の変調信号６０１を示している。変調信号（２）は、Ｆｒａｍｅ  Ｓｙｎｃ部やｄａｔａ部を記録する区間Ｔ１では、マルチパルスを含む変調信号であるが、第１のギャップ領域１１０１に対応する区間Ｔ２では、一定の光量Ｐｅに設定されている。続いて、第２のギャップ領域１２０１に対応する区間Ｔ４では、第１のギャップ領域１１０１に対応する区間Ｔ２とは異なる一定の光量Ｐｗで発光するように設定されている。このとき記録媒体１０１には、第１の光スポット１０２により、区間Ｔ２ではスペースが記録され、区間Ｔ４ではマークが記録される。
【０１１７】
これにより、第１のギャップ領域１１０１と第２のギャップ領域１２０１によって、記録媒体１０１に記録されるスペースとマーク各々の累積が等しくなるようにバランスが保たれる。このため、データ記録時のＤＣ制御が可能となり、ＤＣ成分を抑圧することで、良好な信号再生ができる。
【０１１８】
再生データ（３）は、記録媒体１０１から第２の光スポット１０３で再生できるデータを示している。第１の光スポット１０２で記録媒体１０１に記録された情報は、記録媒体１０１上での第１の光スポット１０２と第２の光スポット１０３のスポット間隔と、記録媒体１０１の線速度で決まる遅延時間Ｔ３を経て、第２の光スポット１０３に到達する。このことにより、第２の光スポット１０３は、光源２０１が一定の光量Ｐｅで発光している区間Ｔ２において、再生データ（３）のハッチング部分のｄａｔａ部を再生することができる。また、ハッチング部分のｄａｔａ部を用いて、評価回路１１０でＰＲＭＬ信号処理やエラーレート評価等の手法を用いた高品位な評価が行える。
【０１１９】
変調信号（２）では、第２のギャップ領域１２０１に対応する区間Ｔ４で光源２０１は一定光量Ｐｗで発光しているが、区間Ｔ４では第２の光スポット１０３による情報の再生は行わないため、区間Ｔ４全てマルチパルスで発光させても問題ない。
【０１２０】
なお、第１のギャップ領域１１０１に対応する区間Ｔ２で光源２０１は、一定光量Ｐｗで発光し、第２のギャップ領域１２０１に対応する区間Ｔ４で光源２０１は、一定の光量Ｐｅで発光するように設定してもよい。区間Ｔ２で第１の光スポット１０２でマークを記録することになるが、変調信号（２）は、マルチパルスを発光していないため、第２の光スポット１０３による情報の再生には問題ない。前述したように、マルチパルスを用いないでマークを記録すると、「涙型」のマーク形状になるが、このマーク自体を高品位で再生する必要はないので問題ない。また、第１のギャップ領域１１０１、第２のギャップ領域１２０１での光源２０１の光量は光レベルＰｅまたは、Ｐｗに限定されるものではなく、Ｐｅに対応する光量は記録媒体１０１にスペースが記録される光量、Ｐｗは同じくマークが記録される光量であればよい。
【０１２１】
図１３は、再生評価の概要を説明するさらに別の図である。図１３では、第１のギャップ領域１１０１のデータ長について説明する。
【０１２２】
記録フレーム（１）と再生データ（２）は、図１１の記録フレーム（１）と再生データ（２）と同じである。記録フレーム（１）のデータ長をＤＬ１とし、第１のギャップ領域のデータ長をＤＬ２とする。データ長ＤＬ２は、遅延時間Ｔ３に対応するデータ長とほぼ等しい。この時、記録媒体１０１に記録された情報のうち、再生データ（２）のハッチング部分が、第１のギャップ領域１１０１の直前のｄａｔａ部であり、そのｄａｔａ部が、データ長ＤＬ２に対応する時間において、全て再生できることがわかる。
【０１２３】
次に、記録フレーム（３）は、第１のギャップ領域１１０１のデータ長ＤＬ４が遅延時間Ｔ３に対応するデータ長よりも短い場合を示している。データ長ＤＬ４が遅延時間Ｔ３に対応するデータ長よりも短いので、記録媒体１０１に記録された情報のうち、再生データ（４）のハッチング部分である、再生できるデータ長も短くなる。記録フレーム（１）に比べ再生できるデータ長は短くなるが、記録フレーム（３）に占める第１のギャップ領域１１０１の割合である“データ長ＤＬ４／データ長ＤＬ３”も小さくなり、記録フレーム（１）に比べ、記録フレーム内に第１のギャップ領域１１０１を追加することによるユーザーデータ容量の減少等の影響を軽減することができる。ただ、データ長ＤＬ４を短くしすぎると再生できるデータ量も減少するため、評価回路１１０によるＰＲＭＬ信号処理やエラーレート評価等の手法を用いた高品位な評価が困難になってくる。そのためデータ長ＤＬ４は、ユーザーデータ容量への影響や評価に必要な再生データ量等を鑑み、最適に設定することが望ましい。
【０１２４】
次に、記録フレーム（５）は、第１のギャップ領域１１０１のデータ長ＤＬ６が遅延時間Ｔ３に対応するデータ長よりも長い場合を示している。データ長ＤＬ６が遅延時間Ｔ３に対応するデータ長よりも長いので、記録媒体１０１に記録された情報のうち、再生データ（６）のハッチング部分が、再生できるデータ長であるが、ハッチング部分のｄａｔａ部よりも後は、ユーザーデータではなく、第１のギャップ領域１１０１の一部である。そのため、第１のギャップ領域１１０１のデータ長をデータ長ＤＬ６に増やした効果が全く得られず、記録フレーム（５）に占める第１のギャップ領域１１０１の割合である“データ長ＤＬ６／データ長ＤＬ５”が大きくなるデメリットのみとなる。
【０１２５】
従って、第１のギャップ領域１１０１のデータ長は、記録媒体１０１上での第１の光スポット１０２と第２の光スポット１０３のスポット間隔と、記録媒体１０１の線速度で決まる遅延時間Ｔ３に対応したデータ長と等しいか、それより短い範囲で最適に設定されることが望ましい。
【０１２６】
なお、図１３では第１のギャップ領域１１０１を有する記録フレームのみを例に説明したが、第１のギャップ領域１１０１に加えて第２のギャップ領域１２０１を有する構成でも同様である。
【０１２７】
本実施の形態では、第１のギャップ領域１１０１を用いて、記録された情報の再生評価をするため、ＤＲＡＷ時の再生評価は記録フレーム全てではなく、一部をサンプリングして行われる。再生評価の品質をより向上させたい場合、サンプリングの頻度を増やす、あるいはサンプルするデータ量を増やす方法があるが、図１３に示したとおり、サンプルするデータ量は遅延時間Ｔ３に対応するデータ量より増やしても効果がない。
【０１２８】
図１４は、実施の形態３における再生評価の概要を説明するさらに別の図である。図１４では、ＤＲＡＷ時の再生評価のサンプリングの頻度を増やす、すなわち、記録フレーム中に第１のギャップ領域１１０１を複数個所に設ける。図１４では第１のギャップ領域１１０１が２カ所ある場合を例示している。
【０１２９】
図１４において、２つの第１のギャップ領域１１０１ａ、１１０１ｂの間に、ｄａｔａ部が設けられている。記録フレーム（１）は、２つの第１のギャップ領域１１０１ａ、１１０１ｂのデータ長がデータ長ＤＬ８、その間のｄａｔａ部のデータ長がデータ長ＤＬ９であり、再生データ（２）における遅延時間Ｔ３に対応するデータ長と等しく設定されている。この時、再生データ（２）の１つ目のハッチング部分が第１のギャップ領域１１０１ａの直前のｄａｔａ部であり、そのｄａｔａ部が、データ長ＤＬ８に対応する時間において、全て再生でき、さらに、再生データ（２）の２つ目のハッチング部分が第１のギャップ領域１１０１ｂの直前のｄａｔａ部であり、そのｄａｔａ部が、データ長ＤＬ８に対応する時間において、全て再生できることがわかる。
【０１３０】
次に、記録フレーム（３）は、２つの第１のギャップ領域１１０１ａ、１１０１ｂの間のｄａｔａ部のデータ長ＤＬ１２が、遅延時間Ｔ３に対応するデータ長より短い場合を示している。この時、再生データ（４）の１つ目のハッチング部分が第１のギャップ領域１１０１ａの直前のｄａｔａ部であり、そのｄａｔａ部が、データ長ＤＬ１１に対応する時間において、全て再生できる。しかし、再生データ（４）の２つ目のハッチング部分が第１のギャップ領域１１０１ｂの直前のｄａｔａ部であるが、ｄａｔａ部のデータ長ＤＬ１２が、遅延時間Ｔ３に対応するデータ長より短いので、データ長ＤＬ１１に対応する時間において、前半１／３程度が第１のギャップ領域１１０１ａの再生となり、再生できるｄａｔａ部が短くなる。
【０１３１】
次に、記録フレーム（５）は、２つの第１のギャップ領域１１０１ａ、１１０１ｂの間のｄａｔａ部のデータ長ＤＬ１５が、遅延時間Ｔ３に対応するデータ長より長い場合を示している。この時、再生データ（６）の１つ目のハッチング部分が第１のギャップ領域１１０１ａの直前のｄａｔａ部であり、そのｄａｔａ部が、データ長ＤＬ１４に対応する時間において、全て再生できる。再生データ（６）の２つ目のハッチング部分が第１のギャップ領域１１０１ｂの直前のｄａｔａ部であるが、ｄａｔａ部のデータ長ＤＬ１５が、遅延時間Ｔ３に対応するデータ長より長いので、再生データ（２）の場合と同等のデータ量が確保できている。
【０１３２】
従って、複数の第１のギャップ領域を設ける場合は、１つの第１のギャップ領域と次の第１のギャップ領域との間隔は、記録媒体１０１上での第１の光スポット１０２と第２の光スポット１０３のスポット間隔と、記録媒体１０１の線速で決まる遅延時間Ｔ３に対応したデータ長と等しいか、それより長い範囲で設定されることが望ましい。
【０１３３】
なお、図１４では複数の第１のギャップ領域が設定されている場合を例示したが、図１２のように、第１のギャップ領域に続いて第２のギャップ領域が設けられている場合も同様である。この場合には、任意の第１のギャップ領域とその次の第１のギャップ領域との間隔は、記録媒体１０１上での第１の光スポット１０２と第２の光スポット１０３のスポット間隔と、記録媒体１０１の線速度で決まる遅延時間Ｔ３に対応したデータ長の２倍と等しいか、それより長い範囲で設定されることが望ましい。
【０１３４】
なお、図１１から図１４で説明したように、記録フレーム内に第１のギャップ領域１１０１や第２のギャップ領域１２０１を設けたが、全ての記録フレーム内に設けてもよいし、全ての記録フレーム内ではなく、離散的に記録フレーム内に設けてもよい。
【０１３５】
具体的な例について、図１５Ａ〜図１５Ｃを用いて説明する。図１５Ａは、複数の記録フレームにより構成される記録ブロックを示す図である。例えば、書き換え型ＢＤディスクの場合は、４９６個の記録フレームで１つの記録ブロック１５０１が構成されている。
【０１３６】
図１５Ｂは、複数の記録フレームにより構成される別の記録ブロック示す図である。各記録フレームの一番後ろにギャップ領域１５０２が設けられている。ギャップ領域１５０２には、図１１から図１４で説明したように、第１のギャップ領域や第２のギャップ領域が、あるいはそれらが複数設けられている。ギャップ領域１５０２は、記録フレームの途中に設けられていてもよい。
【０１３７】
図１５Ｃは、複数の記録フレームにより構成されるさらに別の記録ブロック示す図である。図１５Ｃにおいて、３個の記録フレームにつき１個のギャップ領域１５０２が設けられている。
【０１３８】
以上のようにギャップ領域１５０２は、ＤＲＡＷ時のサンプリングの頻度と、ユーザーデータ量への影響のバランスを鑑み、任意の頻度で記録ブロック１５０１内に設けてもよい。
【０１３９】
［３−２．効果等］
以上のように、本実施の形態において、光源２０１と、光源２０１からの光を分岐し、記録媒体１０１上に第１の光スポット１０２と第２の光スポットと１０３を形成する光学系と、光源２０１を駆動および光源２０１の光量を変調し、さらに、記録する情報に基づいて光源２０１の光量を変調し第１の光スポット１０２により記録媒体１０１へ情報の記録を行う記録回路１０６と、記録回路１０６が光源２０１の光量を一定で発光させる期間において、記録媒体１０１に記録されている情報を第２の光スポット１０３により再生して評価を行う評価回路１１０と、を備える。
【０１４０】
そして、記録媒体１０１上に記録する情報は、所定の長さの第１のギャップ領域を含み、第１のギャップ領域に対する期間は、記録回路１０６が光源２０１の光量を一定で発光させる期間である。
【０１４１】
これにより、第１のギャップ領域を利用して第２の光スポットで情報の再生を行うことにより、マルチパルスによる波形歪みの影響を受けない良好な記録品質評価が可能となる。
【０１４２】
（他の実施の形態）
以上のように、本開示の技術の例示として、実施の形態１〜３を説明した。しかしながら、本開示における技術は、これに限定されず、変更、置き換え、付加、省略などを行った実施の形態にも適用できる。また、上記実施の形態１〜３で説明した各構成要素を組み合わせて、新たな実施の形態とすることも可能である。
【０１４３】
そこで、以下、他の実施の形態を例示する。
【０１４４】
（１）実施の形態２や３では、第２の光スポット１０３からの再生信号を、評価回路１１０でＰＲＭＬ信号処理やエラーレート評価等の手法を用いた高品位な評価について説明した。他の手法として、互いに異なるデータ長を有する２種類のマークとスペースの組合せを用いる方法を説明する。
【０１４５】
ＤＲＡＷは第１の光スポット１０２で記録媒体１０１に適切に情報の記録が行われたかどうかを第２の光スポット１０３の再生信号で評価するが、適切に記録できない場合の主要因として以下の２つがある。
【０１４６】
１つ目の要因は、適切な記録パワーで記録が行われなかった場合である。これは例えば、一般的にユーザーデータの記録前に実施するテスト記録による記録パワー学習での誤差や、記録媒体１０１の汚損等で記録パワーが変動することに起因する。
【０１４７】
２つ目の要因は、記録媒体１０１上の傷やディフェクトの影響で適切な記録が行えない場合である。この２つ目の要因については、第１の光スポット１０２で記録中に、第１の光スポット１０２の記録媒体１０１からの反射光で、光検出器２０７上の第１の受光部２０８からの出力振幅等をモニターすることである程度検出可能となる。
【０１４８】
よってＤＲＡＷにおいては、１つ目の要因である記録パワーが適切かどうかを検出することが重要である。記録パワーの適切さを評価する指標の１つとして、一般にアシンメトリ（Ａｓｙｍｍｅｔｒｙ）が用いられる。
【０１４９】
図１６は、書き換え型ＢＤディスクにおけるＡｓｙｍｍｅｔｒｙを説明する図である。図１６において、波形１６０１は、理想的な記録パワーで記録された場合の再生信号波形であり、信号レベルＩ８ｓは、８Ｔスペースの信号レベルであり、信号レベルＩ８ｍは、８Ｔマークの信号レベルであり、信号レベルＩ２は、２Ｔ信号の平均レベルを示している。Ａｓｙｍｍｅｔｒｙは次式で表せる。
Ａｓｙｍｍｅｔｒｙ＝（（Ｉ８ｓ＋Ｉ８ｍ）／２−Ｉ２）／（Ｉ８ｓ−Ｉ８ｍ）
この式は、８Ｔ信号振幅（Ｉ８ｓ−Ｉ８ｍ）に対する、８Ｔ信号の平均レベル（（Ｉ８ｓ＋Ｉ８ｍ）／２）と２Ｔ信号の平均レベル（Ｉ２）の差の割合を表している。
【０１５０】
２Ｔ信号の平均レベルＩ２が、８Ｔ信号振幅の中央にある場合は、Ａｓｙｍｍｅｔｒｙ＝０となり、波形１６０１が対応する。
【０１５１】
波形１６０２は、記録パワーが低めで記録された場合の再生信号波形である。ただし見易さのために、波形１６０２においては３Ｔ〜８Ｔ信号の波形の図示を省略している。波形１６０２においては、Ａｓｙｍｍｅｔｒｙ＜０となる。
【０１５２】
波形１６０３は、記録パワーが高めで記録された場合の再生信号波形である。波形１６０２と同様、波形１６０３についても３Ｔ〜８Ｔ信号の波形の図示を省略している。波形１６０３においては、Ａｓｙｍｍｅｔｒｙ＞０となる。
【０１５３】
このようにＡｓｙｍｍｅｔｒｙより、記録パワーが適切かどうかを判断することができる。そこで、図６で説明した評価用波形６１３から８Ｔのマーク、８Ｔのスペースの信号成分と２Ｔのマーク、２Ｔのスペースの信号成分を抽出し、各々の平均レベルを検出することでＡｓｙｍｍｅｔｒｙを求め、記録パワーが適切かどうか、すなわち第１の光スポット１０２で記録媒体１０１に適切に記録が行われたかどうかの評価を行う。
【０１５４】
信号処理がディジタル信号で行われている場合は、８Ｔや２Ｔの信号成分の抽出は、サンプリングされている信号波形のデータポイントより、所定の長さ、８Ｔや２Ｔ、の信号を容易に探すことができる。信号処理がアナログ信号で行われている場合は、８Ｔ信号や２Ｔ信号に相当する狭帯域フィルター等で各信号成分を抽出すればよい。
【０１５５】
図１１の構成においても、第１のギャップ領域１１０１のタイミングで、第２の光スポット１０３で再生された信号から、８Ｔのマーク、８Ｔのスペースの信号成分と２Ｔのマーク、２Ｔのスペースの信号成分を抽出し、各々の平均レベルを検出することでＡｓｙｍｍｅｔｒｙを求め、記録パワーが適切かどうか、すなわち第１の光スポット１０２で記録媒体１０１に適切に記録が行われたかどうかの評価を行う。
【０１５６】
図１１の構成において、さらに簡便な方法として、Ｆｒａｍｅ  Ｓｙｎｃ部の中に８Ｔのマーク、８Ｔスペースおよび２Ｔのマーク、２Ｔスペースを設けておく。なお、８Ｔは９Ｔで代用しても差し支えない。そして記録フレーム内で、Ｆｒａｍｅ  Ｓｙｎｃ部の開始位置から遅延時間Ｔ３に対応するデータ長だけ後ろに、第１のギャップ領域１１０１を設ける。すなわち、第１のギャップ領域１１０１のタイミングにおいて第２の光スポット１０３で、記録媒体１０１に記録されたＦｒａｍｅ  Ｓｙｎｃ部を再生する。これにより、Ｆｒａｍｅ  Ｓｙｎｃ部内に含まれた８Ｔ信号や２Ｔ信号を検出し、Ａｓｙｍｍｅｔｒｙより記録パワーが適切かどうか評価する。もちろんＦｒａｍｅ  Ｓｙｎｃ部内ではなく、第１のギャップ領域１１０１で再生できる記録フレーム内の適切な位置に、８Ｔや２Ｔの領域を追加してもよい。
【０１５７】
なお、いずれの場合も、Ａｓｙｍｍｅｔｒｙを求める信号は８Ｔ信号、２Ｔ信号の組合せに限定されるものではなく、データ長の異なる２種類の信号であれば可能である。またこのとき２種類の信号のデータ長の差が大きいほど、Ａｓｙｍｍｅｔｒｙの検出感度は高くなるので望ましい。
【０１５８】
（２）上述したように、Ａｓｙｍｍｅｔｒｙにより記録パワーの適切さを検出することができるので、Ａｓｙｍｍｔｅｒｙに応じて光源２０１の光量を制御することができる。すなわち、Ａｓｙｍｍｅｔｒｙ＜０の場合は、光量を増やし、逆にＡｓｙｍｍｅｔｒｙ＞０の場合は、光量を減らし、Ａｓｙｍｍｅｔｒｙ＝０に近づくように光源２０１の光量を記録回路１０６で制御する。このことによりＤＲＡＷによる記録品質の評価だけでなく、記録状態をより良い方向に補正することが可能となる。この補正は記録中ほぼリアルタイムで実施可能である。したがって、記録媒体１０１上に付着した部分的な汚れ等による記録パワー低下に対しても有効である。
【０１５９】
なお、Ａｓｙｍｍｅｔｒｙ＝０というのは理想的な記録再生を想定した一例であり、記録媒体１０１や記録再生装置１００での最適なＡｓｙｍｍｅｔｒｙが０からオフセットしている場合は、そのオフセットしたＡｓｙｍｍｅｔｒｙ値が光量補正の目標値となる。
【産業上の利用可能性】
【０１６０】
本開示は、光学的に情報の記録再生を行う記録再生装置に適用可能である。具体的には、光ディスク、光テープ、光カード等で、記録直後に情報の再生評価を行う記録再生装置等に、本開示は適用可能である。
【符号の説明】
【０１６１】
１００    記録再生装置
１０１    記録媒体
１０２    第１の光スポット
１０３    第２の光スポット
１０４    光ピックアップ
１０５    ドライブ回路
１０６    記録回路
１０７    サーボ回路
１０８    信号検出回路
１０９    コントローラー
１１０    評価回路
２０１    光源
２０２    コリメートレンズ
２０３    ビームスプリッタ
２０４    光分岐素子
２０５    対物レンズ
２０６    検出レンズ
２０７    光検出器
２０８    第１の受光部
２０９    第２の受光部
２１０    光量検出器
６００    記録再生装置
６０１    変調信号
６０２    ゲート回路
６０３    ゲート信号
６０４    インバーター
６０５    ゲート信号
６０６    再生波形
６０７    第１の再生波形
６０８    波形補整回路
６０９    周波数特性補正回路
６１０    遅延回路
６１１    ゲイン回路
６１２    第２の再生波形
６１３    評価用波形
８００，８０１，８０２，８０３，８０４    波形
９０１，１００１，１００２    破線部
１１０１，１１０１ａ，１１０１ｂ    第１のギャップ領域
１２０１    第２のギャップ領域
１５０１    記録ブロック
１５０２    ギャップ領域
１６０１，１６０２，１６０３    波形
【図１】
0006554668.tif 000002
【図２】
0006554668.tif 000003
【図３】
0006554668.tif 000004
【図４】
0006554668.tif 000005
【図５】
0006554668.tif 000006
【図６】
0006554668.tif 000007
【図７】
0006554668.tif 000008
【図８】
0006554668.tif 000009
【図９】
0006554668.tif 000010
【図１０】
0006554668.tif 000011
【図１１】
0006554668.tif 000012
【図１２】
0006554668.tif 000013
【図１３】
0006554668.tif 000014
【図１４】
0006554668.tif 000015
【図１５Ａ】
0006554668.tif 000016
【図１５Ｂ】
0006554668.tif 000017
【図１５Ｃ】
0006554668.tif 000018
【図１６】
0006554668.tif 000019